(57)【要約】      （修正有）【課題】ティッシュボックスとリモコン類を一体化してベッドの手摺に掛け吊りが出切る組立分解可能なティッシュボックスホルダーを提供する。【解決手段】下部に横板２枚を上下一定間隔で嵌合する嵌合孔を有し、上部にベッドの手摺に掛け吊り可能な逆Ｕ字に切欠きした左側板Ｇと右側板Ｈとの間に２枚の横板を上下一定間隔で嵌合し、上側の板Ｄの上にはティッシュボックスを収納し、２枚の横板の下側と上側の間にリモコン、メガネなどを収納できるようにした。【選択図】図１
0003219189.tif 000002
【実用新案登録請求の範囲】
【請求項１】
下部に横板２枚を上下一定間隔で嵌合する嵌合孔を有し、上部にベッドの手摺に掛け吊り可能な逆Ｕ字に切欠きした左側板と下部に横板２枚を上下一定間隔で嵌合す嵌合孔を有し、上部にベッドの手摺に掛け吊り可能な逆Ｕ字に切欠きした右側板との間を当該２枚の横板を上下一定間隔で嵌合し、当該２枚の横板の上側の板の上にはティシュボックス収納し、当該２枚の横板の下側と上側の間にリモコン、メガネなど（以下リモコン類）収納できるようにしたティッシュボックスホルダー。
【考案の詳細な説明】
【技術分野】
【０００１】木質またはプラステッック系の硬質板による組立、分解可能なティッシュボックス及びリモコンやメガネなどリモコン類を収納可能なホルダーの製作。
【背景技術】
【０００２】畳の上の布団に就寝する従来の方式からベッドで就寝する方式に代りつつある現状に於いて、ティシュボックスを何処に置くべきか、またテレビ、空調などのリモコン類の置場所も問題となっている。これらのものをまとめて一つのホルダーに収納し、ベッドの手摺の掛け吊りできれば解決できる。また、流通上のコスト低減のために組立分解が出来るもがあれば、解決出来る。このようなホルダーがないのが現状である。
【特許文献１】実登３１９０８１７  ティシュボックスホルダー
【特許文献２】実登３１６０７５４  車載用ティシュボックスホルダー
【特許文献３】意登１５６４７２５  組立式ティシュボックスホルダー
【特許文献３】意願２０１６−０１３５９１ティシュボックスホルダー
【考案の概要】
【考案が解決しようとする課題】
【０００４】ティッシュボックスとリモコン類をまとめて利用するホルダーをいかに小さくするか、また、流通上のコスト低減のために組立分解可能にすること。
【考案が解決しようとする手段】
【０００５】図１及び図２の組立右斜視図完成写真に示す木質またはプラステック系の硬質な板から成る部品を組み立てることにより図３の使用例が示す通りのホルダーとして解決できる。
また、このためには、図４に示す全部品を用意し、組立することによって可能となる。組立についての説明に必要な各部品の切欠部凸部及び切欠孔の記号を図５、図６、図７に示す。
組立て方について
▲１▼底下板（以下Ａ）にスペーサー左（以下Ｂ）及びスペーサー（以下Ｃ）の取付。
Ａの嵌合孔ａ１にＢの嵌合凸部ｂ１を、Ａの嵌合孔ａ２にＢの嵌合凸部ｂ２をそれぞれ挿入する。同様にＡの嵌合孔ａ３にＣの嵌合凸部ｃ２を，Ａの嵌合孔ａ４にＣの嵌合凸部ｃ１をそれぞれ挿入する。
▲２▼底上板（以下Ｄ）の取付け
Ｂの嵌合凸部ｂ４をＤの嵌合孔ｄ１に，Ｂの嵌合凸部ｂ３をＤの嵌合孔ｄ２にそれぞれ挿入する。同様にＣの嵌合凸部ｃ３をＤの嵌合孔ｄ３に、Ｃの嵌合凸部ｃ４をＤの嵌合孔ｄ４にそれぞれ挿入する。
▲３▼ティッシュ収納部背板（以下Ｅ）の取付け
Ｄの嵌合孔ｄ５にＥの嵌合凸部ｅ５を、Ｄの嵌合切欠孔ｄ６にＥの嵌合凸部ｅ６を，Ｄの嵌合切欠孔ｄ７にＥの嵌合凸部ｅ７をそれぞれ挿入嵌合する。
▲４▼ティッシュ収納部前板（以下Ｆ）の取付け
Ｄの嵌合孔ｄ８にＦの嵌合凸部ｆ１を、Ｄの嵌合孔ｄ９にＦの嵌合凸部ｆ２を，Ｄの嵌合孔ｄ１０にＦの嵌合凸部ｆ３をそれぞれ挿入する。
▲５▼左側板（以下Ｇ）の取付け
Ｅの嵌合凸部ｅ２をＧの嵌合孔ｇ９に、Ｅの嵌合凸部ｅ１をＧの嵌合孔ｇ１０に、Ｄの嵌合凸部ｄ１３をＧの嵌合孔ｇ６に、Ｄの挿入ガイド切欠き凸部ｄ１２をＧの挿入ガイド切欠孔ｇ５に，Ｄの嵌合凸部ｄ１１をＧの嵌合孔ｇ４に、Ａの嵌合凸部ａ８をＧの嵌合孔ｇ１に、Ａのガイド切欠凸部ａ９をＧのガイド切欠孔ｇ２に，Ａの嵌合凸部ａ１０をＧの嵌合孔ｇ３に、Ｆの嵌合凸部ｆ５をＧの嵌合孔ｇ８に、Ｆの嵌合凸部ｆ４をＧの嵌合孔ｇ７にそれぞれ挿入する。
▲６▼左ロック板（以下Ｉ）の取付け
Ｇを突き抜けたＥのロック受切欠凹部ｅ８にＩのロック切欠凹部ｉ１が、Ｇを突き抜けたＦの切欠凹部ｆ８にＩのロック切欠凹部ｉ２に、Ｉを上か下に押し下げそれぞれ接合させればＧとＡとＤとＥとＦは一体化しロックされる。
▲７▼右側板（以下Ｈ）の取付け
Ｅの嵌合凸部ｅ３をＨの嵌合孔ｈ９に、Ｅの嵌合凸部ｅ４がＨの嵌合孔ｈ１０に、Ｄの嵌合凸部ｄ１６をＨの嵌合孔ｈ６に、Ｄの挿入ガイド切欠き凸部ｄ１７をＨの挿入ガイド切欠孔ｈ５に，Ｄの嵌合凸部ｄ１８をＨの嵌合孔ｈ４に、Ａの嵌合凸部ａ１１をＨの嵌合孔ｈ３に、Ａのガイド切欠凸部ａ１２をＨのガイド切欠孔ｈ２に，Ａの嵌合凸部ａ１３をＧの嵌合孔ｇ１に、Ｆの嵌合凸部ｆ６をＨの嵌合孔ｇ８に、Ｆの嵌合凸部ｆ７をＨの嵌合孔ｇ７にそれぞれ挿入する。
▲８▼右ロック板（以下Ｊ）の取付け
Ｈを突き抜けたＥのロック受切欠凹部ｅ９にＪのロック切欠凹部ｊ２が、Ｈを突き抜けたＦの切欠凹部ｆ９にＪのロック切欠凹部ｊ１に、Ｊを上か下に押し下げそれぞれ接合させればＧとＡとＤとＥとＦは一体化しロックされる。
▲９▼リモコン収納部背板（以下Ｋ）の取付け
Ｋを上に上げた状態でＤの嵌合凸部ｄ１４をＫの嵌合孔ｋ６に、Ｄの嵌合凸部ｄ１５をＫの嵌合孔ｋ７に、Ｂの嵌合凸部ｂ５をＫの嵌合孔ｋ４に，Ｃの嵌合凸部ｃ５をＫの嵌合孔ｋ５に合せて挿入し、Ａの嵌合孔ａ５にＫの嵌合凸部ｋ１が、Ａの嵌合孔ａ６にＫの嵌合凸部ｋ２が，Ａの嵌合孔ａ７にＫの嵌合凸部ｋ３がＫを押し下げてそれぞれ嵌合するようにすれば、Ｋを突き出たＢの切欠凹部ｂ６にＫのｋ５の上部が，Ｋを突き出たＣの切欠凹部ｃ６にＫのｋ５の上部が、それぞれ接合し、Ｋは固定される。
以上の結果、ＤとＧとＨとＦで囲まれ箇所はティッシュボックスを上から挿入可能な収納部となる。また、ＡとＤとＧとＢとＫで囲まれる箇所とＡとＤとＢとＣとＫで囲まれる箇所とＡとＤとＣとＨとＫで囲まれる箇所はリモコン類を前から挿入可能な収納部となる。また背面のＥとＤとＫによる空間にもリモコン類を置くことが出来る。
【考案による効果】
【０００６】以上のようにして得られたホルダーがあれば、利用者は寝たまま、ベッドの手摺に掛け吊りされた一定の場所から、ティッシュやリモコン類を取り出し利用することが出来る。
【図面の簡単な説明】
【０００７】
【図１】組立完成時の右から見た写真を示す
【図２】組立完成時の右から背面が見える写真を示す
【図３】収納使用例を示し  （１）前面収納状態、（２）後面収納状態
【図４】全部品とその名称を示す
【図５】各部品の切欠凸部及び切欠孔の記号表示の一部
【図６】各部品の切欠凸部及び切欠孔の記号表示の一部
【図７】各部品の切欠凸部及び切欠孔の記号表示の一部
【考案を実施するための形態】
【０００８】図１に示す組立右斜視図に示す通り
【実施例】
【０００９】図３に示す通り
【産業上の利用の可能性】
【００１０】本考案の硬質板の素材はＭＤＦ、樹脂なので容易に得られるため、大量生産が可能であり、組立分解が可能であるため流通コストも低減できる。
【符号の説明】
【０００１１】  Ａ      底下板
ａ１    左スペーサー用嵌合孔
ａ２    左スペーサー嵌合孔
ａ３    右スペーサー用嵌合孔
ａ４    右スペーサー用嵌合孔
ａ５    リモコン類収納部背板用嵌合孔
ａ６    リモコン類収納部背板用嵌合孔
ａ７    リモコン類収納部背板用嵌合孔
ａ８    左側横板用嵌合凸部
‘ａ９    左側横板用ガイド切欠凸部
‘ａ１０  左側横板用嵌合凸部
‘ａ１１  右側横板用嵌合凸部
ａ１２  右側横板用ガイド切欠凸部
ａ１３  右側横板用嵌合凸部
ａ１４  リモコン類取り出し用スライド孔
ａ１５  リモコン類取り出し用スライド孔
ａ１６  リモコン類取り出し用スライド孔
Ｂ  左スペーサー
ｂ１    底下板用嵌合凸部
ｂ２    底下板用嵌合凸部
ｂ３    底上板用嵌合凸部
ｂ４    底上板用嵌合凸部
ｂ５    リモコン類背板用嵌合凸部
ｂ６    リモコン類背板ロック受凹部
Ｃ  右スペーサー
ｃ１    底下板用嵌合凸部
ｃ２    底下板用嵌合凸部
ｃ３    底上板用嵌合凸部
ｃ４    底上板用嵌合凸部
ｃ５    リモコン類背板用嵌合凸部
ｃ６    リモコン類背板ロック受凹部
Ｄ  底上板
ｄ１    左スペーサー用嵌合孔
ｄ２    左スペーサー用嵌合孔
ｄ３    右スペーサー用嵌合孔
ｄ４    右スペーサー用嵌合孔
ｄ５    ティッシュ収納部背板嵌入孔
ｄ６    ティッシュ収納部背板嵌入孔
ｄ７    ティッシュ収納部背板嵌入孔
ｄ８    ティッシュ収納部背板嵌入孔
ｄ９    ティッシュ収納部背板嵌入孔
ｄ１０  ティッシュ収納部背板嵌入孔
ｄ１１  左則板用嵌合凸部
ｄ１２  左側板ガイド切欠凸部
ｄ１３  左則板用嵌合凸部
ｄ１４  リモコン収納部用嵌合孔
ｄ１５  リモコン収納部用嵌合孔
ｄ１６  右則板用嵌合凸部
ｄ１７  右側板ガイド切欠凸部
ｄ１８  右則板用嵌合凸部
Ｅ      ティッシュ収納部背板
ｅ１    左横板用嵌合凸部
ｅ２    左側板用嵌合凸部
ｅ３    右側板用嵌合凸部
ｅ４    右横板用嵌合凸部
ｅ５    底上板用嵌合凸部
ｅ６    底上板用嵌合凸部
ｅ７    底上板用嵌合凸部
ｅ８    左ロック板用嵌合凹部
ｅ９    右ロック板用嵌合凹部
Ｆ      ティッシュ収納部前板
ｆ１    底上板用嵌合凸部
ｆ２    底上板用嵌合凸部
ｆ３    底上板用嵌合凸部
ｆ４    左横板用嵌合凸部
ｆ５    左横板用嵌合凸部
ｆ６    右横板用嵌合凸部
ｆ７    右横板用嵌合凸部
ｆ８    左ロック板用嵌合凹部
ｆ９    右ロック板用嵌合凹部
Ｇ      左則板
ｇ１    底下板用嵌合孔
ｇ２    底下板用嵌合孔
ｇ３    底下板用嵌合孔
ｇ４    底上板用嵌合孔
ｇ５    底上板用嵌合孔
ｇ６    底上板用嵌合孔
ｇ７    ティッシュ収納部前板左ロック板用嵌合孔
ｇ８    ティッシュ収納部前板用嵌合孔
ｇ９    ティッシュ収納部背板用嵌合孔
ｇ１０  ティッシュ収納部背板左ロック板用嵌合孔
ｇ１１  エスカン用孔
Ｈ      右則板
ｈ１    底下板用嵌合孔
ｈ２    底下板用嵌合孔
ｈ３    底下板用嵌合孔
ｈ４    底上板用嵌合孔
ｈ５    底上板用嵌合孔
ｈ６    底上板用嵌合孔
ｈ７    ティッシュ収納部前板右ロック板用嵌合孔
ｈ８    ティッシュ収納部前板用嵌合孔
ｈ９    ティッシュ収納部背板用嵌合孔
ｈ１０  ティッシュ収納部背板右ロック板用嵌合孔
ｈ１１  エスカン用孔
Ｉ      左ロック板
ｉ１    ティッシュ収納部前板右ロック凹部
ｉ２    ティッシュ収納部背板板左ロック凹部
Ｊ      右ロック板
ｊ１    ティッシュ収納部前板右ロック凹部
ｊ２    ティッシュ収納部背板左ロック凹部
Ｋ      リモコン収納部背板
ｋ１    底下板用嵌合凸部
ｋ２    底下板用嵌合凸部
ｋ３    底下板用嵌合凸部
ｋ４    左スペーサー用嵌合孔
ｋ５    右スペーサー用嵌合孔
ｋ６    底上板用嵌合孔
ｋ７    底上板用嵌合孔
‘
【図１】
0003219189.tif 000003
【図２】
0003219189.tif 000004
【図３】
0003219189.tif 000005
【図４】
0003219189.tif 000006
【図５】
0003219189.tif 000007
【図６】
0003219189.tif 000008
【図７】
0003219189.tif 000009